(57)【要約】【課題】水中で回転ではない不自然な動きを助長すると共に、水中における姿勢を水平状態に近づけて誘魚作用を高めることが可能なルアーを提供する。【解決手段】筒状物１１と、筒状物１１の先側に設けられたヘッド１２と、筒状物１１の尾側に設けられたフック１６と、フック１６の基側に一端が固着され筒状物１１内及びヘッド１２内を挿通する釣糸１７とを有するルアー１０において、ヘッド１２の先側に傾斜面１８を設けると共に、傾斜面１８に釣糸１７の挿通孔１９の先側出口２０を形成し、しかも、ヘッド１２の先側出口２０に釣糸１７を挿通する卵形状又は紡錘状のシンカー２１を設け、ルアー１０の回転を防止した。【選択図】図１
2010022298.tif 000002
【特許請求の範囲】
【請求項１】
筒状物と、該筒状物の先側に設けられたヘッドと、前記筒状物の尾側に設けられたフックと、該フックの基側に一端が固着され前記筒状物内及び前記ヘッド内を挿通する釣糸とを有するルアーにおいて、
前記ヘッドの先側に傾斜面を設けると共に、該傾斜面に前記釣糸の挿通孔の先側出口を形成し、しかも、前記ヘッドの先側出口に前記釣糸を挿通する卵形状又は紡錘状のシンカーを設け、該ルアーの回転を防止したことを特徴とするルアー。
【請求項２】
筒状物と、該筒状物の先側に設けられたヘッドと、前記筒状物の尾側に設けられたフックと、該フックの基側に一端が固着され前記筒状物内及び前記ヘッド内を挿通する釣糸とを有するルアーにおいて、
前記ヘッドを金属によって形成すると共に、該ヘッドの先側に前記釣糸の挿通孔の先側出口を有する傾斜面を形成し、該ルアーの回転を防止したことを特徴とするルアー。
【請求項３】
請求項１及び２のいずれか１項に記載のルアーにおいて、前記筒状物の尾側にゴム管を装着し、前記フックの基側を嵌入固定したことを特徴とするルアー。
【請求項４】
請求項１〜３のいずれか１項に記載のルアーにおいて、前記筒状物の周囲には、羽毛、繊維状物、及び毛のいずれか１又は２以上の組合せからなって前記筒状物にその基側が束になって固着された疑似餌が設けられていることを特徴とするルアー。
【請求項５】
請求項１〜４のいずれか１項に記載のルアーにおいて、前記フックはシングルフック又は３つの掛止針が軸対称に配置されたトリプルフックであることを特徴とするルアー。
【請求項６】
請求項１〜５のいずれか１項に記載のルアーにおいて、前記ヘッドの前記傾斜面を中央にしてその両側面には、目の模様が形成されていることを特徴とするルアー。
【発明の詳細な説明】
【技術分野】
【０００１】
本発明は、水中で回転ではない不自然な動きをして誘魚作用に優れるルアーに関する。
【背景技術】
【０００２】
従来より使用されているルアー（疑似鉤）の中に、フックに動物の毛や鳥の羽等を巻き付けて疑似餌（昆虫）に見せかけるフライ（毛鉤）と呼ばれるものがある。フライは、魚が動きのあるものに近づき易いという習性を利用したもので、フックに巻き付けた動物の毛や鳥の羽を水中で開閉させることにより魚を誘っている。しかし、動物の毛や鳥の羽等をフックに巻き付けているため、水中において、フックの抵抗により疑似餌としての動きが妨げられ、充分な誘魚効果が得られないという問題がある。そこで、動物の毛や鳥の羽等をヘッド部（錘）に巻き付け、ヘッド部とフックを別体とし、連結することで、ヘッド部がフックの影響を受けることなく自由に動くことができ、ルアーをより細かく、滑らかに動かすことができるようにしている。
【０００３】
【特許文献１】特開２００８−３５７７４号公報
【発明の開示】
【発明が解決しようとする課題】
【０００４】
しかしながら、特許文献１の発明では、ヘッド部がフックの影響を受けることなく自由に動くことができるようにしたため、ルアーを水中で移動させた際に、ヘッド部が回転してしまい、ルアーに魚を誘うような不自然な動きをさせることができないという問題が生じる。更に、ルアーの誘魚作用を高めるためには、水中におけるルアーの姿勢を水平に保持することが有効であるが、水中でルアーの姿勢を水平に保持するにはルアーの細かい操作が必要であり、ルアーが扱い難いという問題もあった。
【０００５】
本発明はかかる事情に鑑みてなされたもので、水中で回転ではない不自然な動きを助長すると共に、水中における姿勢を水平状態に近づけて誘魚作用を高めることが可能なルアーを提供することを目的とする。
【課題を解決するための手段】
【０００６】
前記目的に沿う第１の発明に係るルアーは、筒状物と、該筒状物の先側（頭側）に設けられたヘッドと、前記筒状物の尾側に設けられたフックと、該フックの基側に一端が固着され前記筒状物内及び前記ヘッド内を挿通する釣糸とを有するルアーにおいて、
前記ヘッドの先側に傾斜面を設けると共に、該傾斜面に前記釣糸の挿通孔の先側出口を形成し、しかも、前記ヘッドの先側出口に前記釣糸を挿通する卵形状又は紡錘状のシンカー（錘）を設け、該ルアーの回転を防止している。
【０００７】
前記目的に沿う第２の発明に係るルアーは、筒状物と、該筒状物の先側に設けられたヘッドと、前記筒状物の尾側に設けられたフックと、該フックの基側に一端が固着され前記筒状物内及び前記ヘッド内を挿通する釣糸とを有するルアーにおいて、
前記ヘッドを金属によって形成すると共に、該ヘッドの先側に前記釣糸の挿通孔の先側出口を有する傾斜面を形成し、該ルアーの回転を防止している。
【０００８】
第１、第２の発明に係るルアーにおいて、前記筒状物の尾側にゴム管を装着し、前記フックの基側を嵌入固定することが好ましい。
また、第１、第２の発明に係るルアーにおいて、前記筒状物の周囲には、羽毛、繊維状物、及び毛のいずれか１又は２以上の組合せからなって前記筒状物にその基側が束になって固着された疑似餌が設けられていることが好ましい。
【０００９】
第１、第２の発明に係るルアーにおいて、前記フックは１つの掛止針を備えたシングルフック又３つの掛止針が軸対称に配置されたトリプルフックとすることができる。
また、第１、第２の発明に係るルアーにおいて、前記ヘッドの前記傾斜面を中央にしてその両側面には、目の模様が形成されていることが好ましい。
【発明の効果】
【００１０】
第１の発明に係るルアーにおいては、端部にフックが固定された釣糸が筒状物及びこれに一体となったヘッドを挿通し、しかもヘッドの傾斜面に釣糸の挿通孔の先側出口が形成されているので、釣糸を引っ張った場合、この傾斜面に水の流れが当たって回転に対する抵抗となりルアーの回転が抑制される。これによって、水中でのルアーの回転を防止でき、回転ではない不自然な動きを助長し、魚に餌として誤認させ易い。また、ルアーが釣糸に引かれて水中を移動する場合、ルアーは水中を移動する際の抵抗が小さくなるように、すなわち、水の流れに対するルアーの断面積が小さくなるように、筒状物はその軸方向を移動方向と平行になるように姿勢を変える。このため、竿に結び付けられた釣糸を引く角度を調整することで、ルアーを水中で水面に平行に移動させることができ、ルアーの誘魚作用が向上する。更に、シンカーは釣糸に沿って自由に移動できるので、シンカー、ヘッド、及び筒状物を一体とすることができ、ルアーを水中に投入する際にルアーの慣性力が大きくなってルアーをより遠くに飛ばす（飛距離を長くする）ことができ、水中に沈んだ際には、シンカーがヘッドに当接してヘッド及び筒状物を水中に安定して存在させることができ、更に、釣糸を引く速度によってルアーの姿勢を変えることができる。なお、シンカーがヘッドに当接することで、シンカーはヘッドと協働してルアーの回転に対して抵抗となり、ルアーの回転を更に抑制できる。そして、重量の異なるシンカーを選択して使用することで、ルアーの飛距離及び水深を調整することができる。
【００１１】
第２の発明に係るルアーにおいては、ヘッドを金属によって形成すると共に、ヘッドの先側に釣糸の挿通孔の先側出口を有する傾斜面を形成しているので、水中にルアーが沈み、更に、ルアーを引くと傾斜面に水が当たって回転に対する抵抗となり、ルアーの回転を抑制する。これによって、水中でのルアーの回転を防止でき、回転ではない不自然な動きを助長し、魚に餌として誤認させ易い。また、ルアーが釣糸に引かれて水中を移動する場合、ルアーは水中を移動する際の抵抗が小さくなるように、すなわち、水の流れに対するルアーの断面積が小さくなるように、筒状物はその軸方向を移動方向と平行になるように姿勢を変える。このため、竿に結び付けられた釣糸を引く角度を調整することで、ルアーを水中で水面に平行に移動させることができ、ルアーの誘魚作用が向上する。更に、ルアーのヘッドが金属で形成されているので、ルアーを水中に投入する際のルアーの慣性力が大きくなってルアーをより遠くに飛ばす（飛距離を長くする）ことができ、水中に沈んだ際には、ヘッド及び筒状物を水中に安定して存在させることができる。そして、ヘッドの重量を変えることで、ルアーの飛距離及び水深を調整することができる。
【００１２】
第１、第２の発明に係る釣り用ルアーにおいて、筒状物の尾側にゴム管を装着し、フックの基側を嵌入固定した場合、水中でのフックの姿勢を一定方向に保つことができる。これによって、魚がルアーに食い付いた際、フックを魚の口に深く刺すことができる。
ここで、筒状物の周囲に、羽毛、繊維状物、及び毛のいずれか１又は２以上の組合せからなって、筒状物にその基側が束になって固着された疑似餌が設けられている場合、これによって、ルアーの回転が更に抑制されると共に、釣糸を操作する竿の動きによって、疑似餌が不自然な動きをするので、魚の食い付きを促進できる。
また、フックが１つの掛止針を備えたシングルフックである場合、掛止針のサイズを大きくでき大型の魚を対象とすることができ、フックが３つの掛止針が軸対称に配置されたトリプルフックである場合、魚が任意の方向からルアーに食い付いてもフックを魚の口に刺すことができる。
更に、ヘッドの傾斜面を中央にしてその両側面に、目の模様が形成されている場合、誘魚性を更に向上させることができる。
【発明を実施するための最良の形態】
【００１３】
続いて、添付した図面を参照しつつ、本発明を具体化した実施の形態につき説明し、本発明の理解に供する。
ここで、図１は本発明の第１の実施の形態に係るルアーの一部切り欠き側面図、図２は同ルアーの正面図、図３は同ルアーの一部省略背面図、図４は本発明の第２の実施の形態に係るルアーの一部切り欠き側面図、図５は本発明の第３の実施の形態に係るルアーの一部切り欠き側面図である。
【００１４】
図１〜図３に示すように、本発明の第１の実施の形態に係るルアー１０は、筒状物１１と、筒状物１１の先側に設けられたヘッド１２と、筒状物１１の尾側に設けられたフックの一例であり、３つの掛止針１３、１４、１５が軸対称に配置されたトリプルフック１６と、トリプルフック１６の基側に一端が固着され筒状物１１内及びヘッド１２内を挿通する釣糸１７とを有している。そして、ヘッド１２の先側に傾斜面１８を設けると共に、傾斜面１８の中央位置に釣糸１７の挿通孔１９の先側出口２０を形成し、しかも、ヘッド１２の先側出口２０に釣糸１７を挿通する卵形状のシンカー２１を設けている。以下詳細に説明する。
【００１５】
筒状物１１の先部は、ヘッド１２の基側に、側面視してヘッド１２の傾斜面１８に対して鋭角（例えば、３０〜５０°、好ましくは３５〜４５°）となる角度で嵌入し固定されている。ここで、筒状物１１は、一定の形を有するプラスチック（例えば、ＡＢＳ、ＰＰ、ＰＣ）で形成されており、外径は２〜３ｍｍ、ヘッド１２の基側からの突出長さは１０〜３０ｍｍである。なお、筒状物１１の内径は、釣糸１７（外径０．１〜０．５ｍｍ）の挿通が可能な寸法とする。そして、筒状物１１の尾側にはゴム管（軟質の合成樹脂も含む）２２が装着され、トリプルフック１６の基側が嵌入固定されている。
【００１６】
また、筒状物１１の周囲には、例えば、羽毛２３及び対となる繊維状物２４の組合せからなって筒状物１１の側部にその基側が束になって固着された疑似餌２５が設けられている。ここで、疑似餌２５は、基側が束になって筒状物１１の側部に固着しているため、水中では筒状物１１の回りで３次元の放射方向に開くことができ、トリプルフック１６を隠すことができる。なお、対となる繊維状物２４を設けることで水中でのバランスを保持することができると共に、水中で羽毛２３とは異なる動きを起こさせて誘魚作用を高めることができる。
【００１７】
ヘッド１２は、軟質又は硬質のプラスチック、例えば、ＰＰ、ＰＣ、ＡＢＳ、あるいは木材、セラミック、金属で形成されており、ヘッド１２の傾斜面１８を正面中央にしてその両側面には、目の模様２６が形成されている。また、挿通孔１９は、先側出口２０の中心と、嵌入した筒状物１１の先端中心を連通するようにヘッド１２に形成されている。なお、挿通孔１９の先側出口２０の内径は釣糸１７の挿通が可能な寸法（例えば、０．５〜３ｍｍ）とする。
【００１８】
シンカー２１は、高比重材料の金属、例えば真鍮、鉛、ステンレス、塗装された鉄等で形成され、中央部の最大外径は７〜１０ｍｍ、長さは８〜１５ｍｍであり、中心軸に沿って釣糸１７が挿通する通し孔２７が形成されている。シンカー２１を卵形状とすることで、水中で移動する際の抵抗を小さくでき、更に、シンカー２１の基部とヘッド１２の傾斜面１８が当接した際に、釣糸１７が引かれる方向の変化に伴ってシンカー２１とヘッド１２の当接角度を水中で自由に変えることができる。
【００１９】
続いて、本発明の第１の実施の形態に係るルアー１０の作用について説明する。
図１〜図３に示すように、基端部にトリプルフック１６が固定された釣糸１７を筒状物１１、ヘッド１２、及びシンカー２１の順に挿通させてルアー１０を形成する。ここで、筒状物１１がヘッド１２に一部嵌入して固定され、筒状物１１の尾部にはゴム管２２が装着され、釣糸１７の一端が固着されているトリプルフック１６の基側がゴム管２２に部分的に嵌入して、トリプルフック１６を特定位置に固定させている。そして、ルアー１０にはシンカー２１が釣糸１７に沿って自由に移動できるように設けられているので、シンカー２１、ヘッド１２、及び筒状物１１を一体とすることができ、ルアー１０を水中に投入する際にルアー１０の慣性力が大きくなってルアー１０をより遠くに飛ばすことができ、水中に沈んだ際には、シンカー２１がヘッド１２に当接してヘッド１２及び筒状物１１を水中に安定して存在させることができる。
【００２０】
ルアー１０が水中で引っ張られる場合、釣糸１７はヘッド１２の挿通孔１９を挿通するので、釣糸１７が挿通孔１９の先側出口２０の縁に当接する。ここで、先側出口２０はヘッド１２の先側に設けられた傾斜面１８の中央に形成されているので、釣糸１７と先側出口２０の縁との当接位置は傾斜面１８の中央で先側位置にあり、釣糸１７で傾斜面１８を左右均等に引くことになり、これによって釣糸１７を中心とする回転力が抑制される。
【００２１】
更に、ルアー１０が回転しようとしても、ヘッド１２の傾斜面１８に水の流れが当たって回転の抵抗となり、ルアー１０の回転が抑制される。その結果、ルアー１０は、水中を釣糸１７で引かれた方向に回転が防止されて移動でき、あるいは疑似餌２５の形によって自由に左右及び上下に揺れながら移動する。これによって、水中のルアー１０に回転ではなく、餌の動きにより近い不自然な動きを助長し、魚に餌として誤認させ易い。なお、シンカー２１がヘッド１２に当接することで、シンカー２１はヘッド１２と協働してルアー１０の回転に対して抵抗となり、ルアー１０の回転を更に抑制できる。
【００２２】
また、ルアー１０が釣糸１７に引かれて水中を移動する場合、ルアー１０は水中を移動する際の抵抗が小さくなるように、すなわち、水の流れに対するルアー１０の断面積が小さくなるように、筒状物１１はその軸方向を移動方向と平行になるように姿勢を変える。このため、竿に結び付けられた釣糸１７を引く角度を調整することで、ルアー１０を水中で水面に平行に移動させることができ、ルアー１０の誘魚作用が向上する。
【００２３】
ここで、筒状物１１の周囲には、羽毛２３及び繊維状物２４の組合せからなって、その基側が束になって固着された疑似餌２５が設けられ、更に、ヘッド１２の傾斜面１８を中央にしてその両側面には、目の模様２６が形成されているので、ルアー１０の誘魚作用が向上して魚の食い付きが促進される。なお、ルアー１０が水中を移動する際、疑似餌２５はルアー１０が回転する際の抵抗としても作用し、ルアー１０の回転が更に抑制される。そして、トリプルフック１６の基側が筒状物１１の尾側に装着されたゴム管２２に嵌入して固定されるので、水中でのトリプルフック１６の姿勢を一定方向に保つことができ、魚がルアー１０に食い付いた際、トリプルフック１６のいずれかの掛止針１３、１４、１５を魚の口に深く刺すことができ、魚を確実に捕捉することができる。
【００２４】
図４に示すように、本発明の第２の実施の形態に係るルアー２８は、本発明の第１の実施の形態に係るルアー１０と比較して、シンカー２１が存在せず、ヘッド２９が金属によって形成されていることが特徴となっている。このため、第１の実施の形態に係るルアー１０と同一の構成部材については、同一の符号を付して説明は省略する。
【００２５】
ヘッド２９は、例えば、真鍮で形成されており、ヘッド２９の傾斜面３０を中央にしてその両側面には、目の模様３１が形成されている。そして、ヘッド２９の基側には、側面視して傾斜面３０に対して鋭角（例えば、３０〜５０°、好ましくは３５〜４５°）となる角度で筒状物１１の先部が嵌入固定されている。また、ヘッド２９に設けられた釣糸１７の挿通孔３２は、傾斜面３０に形成された先側出口３３と、ヘッド２９に嵌入している筒状物１１の先端を連通し、しかも、ヘッド２９を側面視した際のヘッド２９の水平方向の中心線より上方の領域を通過するように形成されている。なお、挿通孔３２の内径は、釣糸１７の挿通が可能な寸法とする。
【００２６】
続いて、本発明の第２の実施の形態に係るルアー２８の作用について説明するが、第２の実施の形態に係るルアー２８は、第１の実施の形態に係るルアー１０と比較して、シンカー２１が存在せず、ヘッド２９が錘の作用も兼ねて金属によって形成されていることが特徴となっている。このため、ヘッド２９の作用についてのみ説明する。
【００２７】
ヘッド２９が金属によって形成されているので、シンカー２１が存在しなくても、ルアー２８を水中に投入する際のルアー２８の慣性力を大きくでき、ルアー２８をより遠くに飛ばすことができると共に、ルアー２８が水中に沈んだ際には、ヘッド２９により筒状物１１の浮き上がりが押さえられて、ルアー２８を水中で安定して存在させることができる。そして、ルアー２８が水中で引っ張られる場合、釣糸１７はヘッド２９の挿通孔３２を挿通しているので、釣糸１７が挿通孔３２の先側出口３３の縁に当接する。ここで、先側出口３３はヘッド２９の先側に設けられた傾斜面３０の中央に形成されているので、釣糸１７と先側出口３３の縁との当接位置は傾斜面３０の中央となって、釣糸１７で傾斜面３０を左右均等に引くことになり、これによって釣糸１７を中心とする回転力が抑制される。
【００２８】
また、挿通孔３２が、ヘッド２９を側面視した際のヘッド２９の水平方向の中心線より上方の領域を通過するように形成されているため、ヘッド２９の重心はヘッド２９の水平方向の中心線より下方位置に存在することになる。このため、釣糸１７でルアー２８を水中で引いた際、ルアー２８は回転し難い。そして、ルアー２８に回転が生じようとしても、ヘッド２９の傾斜面３０に水の流れが当たることで回転の抵抗となり、ルアー２８の回転が抑制される。その結果、ルアー２８は、回転せずに水中を釣糸１７で引かれた方向に移動でき、更に、疑似餌２５の形によって自由に左右及び上下に揺れながら移動する。これによって、水中のルアー２８に回転ではない不自然な動きを助長し、魚に餌として誤認させ易い。
【００２９】
また、ルアー２８が釣糸１７に引かれて水中を移動する場合、ルアー２８は水中を移動する際の抵抗が小さくなるように、すなわち、水の流れに対するルアー２８の断面積が小さくなるように、筒状物１１はその軸方向を移動方向と平行になるように姿勢を変える。このため、竿に結び付けられた釣糸１７を引く角度を調整することで、ルアー２８を水中で水面に平行に移動させることができ、ルアー２８の誘魚作用が向上する。
【００３０】
図５に示すように、本発明の第３の実施の形態に係るルアー３４は、本発明の第１の実施の形態に係るルアー１０と比較して、筒状物３５の尾端部が２つ割りになっていることが特徴となっている。このため、第１の実施の形態に係るルアー１０と同一の構成部材については、同一の符号を付して説明は省略する。
【００３１】
筒状物３５の先部は、ヘッド１２の基側に、側面視してヘッド１２の傾斜面１８に対して鋭角（例えば、３０〜５０°、好ましくは３５〜４５°）となる角度で嵌入し固定されている。ここで、筒状物３５は、一定の形を有するプラスチック（例えば、ＡＢＳ、ＰＰ、ＰＣ）又は金属（例えば、真鍮、アルミニウム及びアルミニウム合金、亜鉛及び亜鉛合金、銅及び銅合金、ステンレス、塗装した鉄）で形成されており、外径は２〜１５ｍｍ、ヘッド１２の基側からの突出長さは１０〜１００ｍｍである。そして、筒状物３５の尾端部（例えば、尾端から２〜５ｍｍの範囲）は２つ割りになって、ゴム管２２の一部が尾端部に被さり（外装され）、トリプルフック１６の基部は尾端部の２つ割りのスリット部３６に装入して固定されている。また、筒状物３５の周囲には、筒状物３５の側部にその基側が束になって固着された疑似餌２５が設けられている。
【００３２】
続いて、本発明の第３の実施の形態に係るルアー３４の作用について説明するが、第３の実施の形態に係るルアー３４は、第１の実施の形態に係るルアー１０と比較して、筒状物３５の尾端部が２つ割りになっていることが特徴となっている。このため、筒状物３５の作用についてのみ説明する。
筒状物３５の尾端部が２つ割りになっているので、ゴム管２２内に挿入させたトリプルフック１６の基部を、２つ割りのスリット部３６に装入させることができる。そして、筒状物３５の尾端部のスリット部３６にトリプルフック１６の基部が装入されると、筒状物３５の尾端部はスリット部３６を中心にして両外側に広がり、ゴム管２２の尾端部に被さっている部分も尾端部の変形に伴って伸びる。このため、ゴム管２２の尾端部に被さっている部分には弾性回復力が発生し、尾端部のスリット部３６に装入されたトリプルフック１６の基部には、筒状物３５の尾端部に発生する弾性回復力及びゴム管２２の尾端部に被さっている部分に発生する弾性回復力が同時に作用する。これにより、トリプルフック１６の基部は筒状物３５の尾端部のスリット部３６により押圧され、筒状物３５の尾端部に強固に固定される。その結果、水中でのトリプルフック１６の姿勢を一定方向に保つことができ、魚がルアー３４に食い付いた際、トリプルフック１６のいずれかの掛止針１３、１４、１５を魚の口に深く刺すことができ、魚を確実に捕捉することができる。
【００３３】
以上、本発明を、実施の形態を参照して説明してきたが、本発明は何ら上記した実施の形態に記載した構成に限定されるものではなく、特許請求の範囲に記載されている事項の範囲内で考えられるその他の実施の形態や変形例も含むものである。
例えば、第１の実施の形態で、シンカーを卵形状としたが、紡錘状としてもよい。また、第２の実施の形態で、ヘッドを、鉛、亜鉛、ステンレス、塗装した鉄、セラミックで形成することができる。
更に、第１、第２の実施の形態で、疑似餌を、羽毛、繊維状物、又は毛のみで形成することも、羽毛及び毛の組合せ、繊維状物及び毛の組合で形成することもでき、フックとして、トリプルフックの代わりに、１つの掛止針を備えたシングルフックを使用することができる。
【図面の簡単な説明】
【００３４】
【図１】本発明の第１の実施の形態に係るルアーの一部切り欠き側面図である。
【図２】同ルアーの正面図である。
【図３】同ルアーの一部省略背面図である。
【図４】本発明の第２の実施の形態に係るルアーの一部切り欠き側面図である。
【図５】本発明の第３の実施の形態に係るルアーの一部切り欠き側面図である。
【符号の説明】
【００３５】
１０：ルアー、１１：筒状物、１２：ヘッド、１３、１４、１５：掛止針、１６：トリプルフック、１７：釣糸、１８：傾斜面、１９：挿通孔、２０：先側出口、２１：シンカー、２２：ゴム管、２３：羽毛、２４：繊維状物、２５：疑似餌、２６：目の模様、２７：通し孔、２８：ルアー、２９：ヘッド、３０：傾斜面、３１：目の模様、３２：挿通孔、３３：先側出口、３４：ルアー、３５：筒状物、３６：スリット部
【図１】
2010022298.tif 000003
【図２】
2010022298.tif 000004
【図３】
2010022298.tif 000005
【図４】
2010022298.tif 000006
【図５】
2010022298.tif 000007